(57)【特許請求の範囲】
【請求項１】
長手方向正面視で門形を成して天井中央部で分離可能に蝶番で接合され、遊歩通路等を備えた左右躯体フレームが、各々移動手段上に搭載されており、また上記左右躯体フレームが、各々長手方向において分離可能で且つロック可能な蝶番によって連結された複数のブロックから構成され、上記移動手段は、水路に沿って移動可能なフロートから構成され、各躯体フレームのブロックが各別にフロート上に搭載されており、上記水路は、平行な直線部分と屈曲した膨出部分とを各々有していることを特徴とする可動モール。
【請求項２】
上記水路は、平面視でほぼ左右対称な左右一対の水路から成る請求項１記載の可動モール。
【発明の詳細な説明】
【０００１】
【発明の属する技術分野】
この発明は、テーマパーク等の会場内において移設することで遊歩形態を多様化させることが出来る可動モールに関する。
【０００２】
【従来の技術】
従来よりテーマパーク等の会場では、記念品や土産を購入したり、休憩する場所として小規模な出店や屋台等の売店や茶屋が多く見受けられた。
これらは、会場内の各場所に散在したり、会場の出入口近くに集約されており、利用者には安直で便利な点が多々あり、長いごと因習的に小規模散在形態若しくは出入口集約形態が取られてきた。
【０００３】
【発明が解決しようとする課題】
しかし、上記従来の小規模散在形態や出入口集約形態では、テーマパーク等の会場において何ら目新しさが無く、来場者が受ける印象も悪い。
来場者が記念品や土産を購入したり、休憩する際も、より楽しく、ゆったりとくつろげるように、また会場に好印象を与えることが出来るインパクトのある新しいアイデアが待望されていた。
【０００４】
本発明は、上記の事情に鑑み提案されたものであって、テーマパーク等の会場内で適宜移動して設定することが出来て、会場への来場者が記念品や土産を購入したり、休憩する際も、より楽しく、ゆったりとくつろぐことが出来、また会場に魅力的で好印象を与えることが出来るインパクトのある可動モールを提供することを目的としている。
【０００５】
【課題を解決するための手段】
上記した目的を達成するために、本発明の請求項１記載の可動モールは、長手方向正面視で門形を成して天井中央部で分離可能に蝶番で接合され、遊歩通路等を備えた左右躯体フレームが、各々移動手段上に搭載されており、また上記左右躯体フレームが、各々長手方向において分離可能で且つロック可能な蝶番によって連結された複数のブロックから構成され、上記移動手段は、水路に沿って移動可能なフロートから構成され、各躯体フレームのブロックが各別にフロート上に搭載されており、上記水路は、平行な直線部分と屈曲した膨出部分とを各々有していることを特徴としている。
【０００６】
上記構成からなる本発明の請求項１記載の可動モールでは、会場の配列構成に変化を与えるために、またイベントに応じて移動手段によって会場の適当な場所へ移動することができる。またモールの形態自身も、左右躯体フレームのブロックを直列に連結し且つ天井中央部を連結した移動時のトンネル状形態から、天井中央部で端部蝶番を分離して長手方向端部を『ハ』の字状に開いたり、長手方向中間部を左右に膨らむように『く』の字状に屈曲した形態を取ることができ、会場に魅力的で好印象を与えるインパクトのある景観を提供できる。来場者は、躯体フレームに設けられた遊歩通路を通って日差しや強い風を避けて、適宜休憩場所で休憩したり、店でショッピングしたり、イベント情報等を得ることができ、またより楽しく、ゆったりとくつろぐことができる。
【０００７】
また、本発明の請求項１記載の可動モールにおいて、移動手段は、水路に沿って移動可能なフロートから構成され、各躯体フレームのブロックが各別にフロート上に搭載される。従って、水路は、会場の景観に安らぎ等の好印象を与える他、重たいモールを移動運搬する上で好適である。フロートは、躯体フレームのブロック毎に各別に設けられているために、ブロックを左右に開いたり、屈曲配置させることが可能になる。
【０００８】
更に、本発明の請求項１記載の可動モールにおいて、水路は、平行な直線部分と屈曲した膨出部分とを各々有することができる。ここで、屈曲した膨出部分としては、単純に屈曲した『く』の字状や、複雑に屈曲した『折れ線』状とすることができる。従って、水路の平行な直線部分では、モールは躯体フレームのブロックを直列状に連結したトンネル状形態を取り、水路の『く』の字状や『折れ線』状の膨出部分では、トンネル状形態の他に、ブロック間の外側蝶番を分離して内側蝶番で屈曲して『く』の字状や『折れ線』状の形態を取ることができる。
なお、本発明の請求項２記載のように、水路は、平面視でほぼ左右対称な左右一対の水路から構成しても良いが、必ずしもこれに限られない。
【０００９】
【発明の実施の形態】
本発明に係る代表実施例の可動モールについて、図１〜図５を参照にして以下に詳細に説明する。
図１は代表実施例の可動モールの『く』の字状展開状態を示す平面図、図２はその可動モールのトンネル状態での端面図、図３はその可動モールの『折れ線』状展開状態を示す平面図、図４はその可動モールのフロート部の拡大立面図、図５は可動モールフロート部の水平ガイドローラ平面配置図である。
【００１０】
図１、図２及び図４において、本発明に係る代表実施例の可動モール１は、テーマパークの会場において牽引車によって牽引されて水路５に沿って移動するフロート２１を移動手段２０とするタイプであり、長手方向正面視で半円形の門型を成して天井中央部で分離可能で且つロック可能な蝶番１１で接合された左右の躯体フレーム１０，１０から構成されている。
左右の各躯体フレーム１０は、例えば、ほぼ同じ外形の４個のブロック１０Ａ〜１０Ｄを内側を分離可能で且つロック可能な内側蝶番１１によって連結し、外側を分離可能で且つロック可能な継手１２で連結して構成されている。
【００１１】
各ブロック１０Ａ〜１０Ｄには、相互に連絡や遮断可能な遊歩通路１５や売店１６、休憩所、インフォメーションセンター、階段１７等を２階に渡って備えると共に、各別にフロート２１を下部外側に備えている。
これらブロック１０Ａ〜１０Ｄから成る躯体フレーム１０の外壁には、テーマパークの会場に合った装飾が適宜施され、また内部空間の上部にはイベント情報等の広告や垂れ幕、照明及び音響装置が設けられている。
かくして、この可動モール１は、会場の配列構成に変化を与え、またイベントに応じて水路５に沿って移動手段２１によって会場の適当な場所へ移動される。
【００１２】
水路５は、ほぼ左右対称に左右一対設けられており、図１に示すように、平行な直線部分５Ａと単純に屈曲した『く』の字状の膨出部分５Ｂを有している。
水路５としては、これに限るものではなく、図３に示すように、平行な直線部分５Ａと複雑に屈曲した『折れ線』状の膨出部分５Ｃとから構成しても良い。
水路５の平行な直線部分５Ａでは、図１中に仮想線で示すように、モール１は躯体フレーム１０のブロック１０Ａ〜１０Ｄを直列状に連結したトンネル状形態を取り、また、水路５の『く』の字状膨出部分５Ｂでは、図１中に実線で示すように、両端部以外の中間部で、左右フレーム１０，１０の連結を解除して且つブロック１０Ａ〜１０Ｄの外側中央の継手１２を分離して外側に屈曲した形態を取る。
中間部の外側への移動は、牽引車によって行い、設定後、モール１はアウトリガー等で適宜地面に固定され、水路５には橋が渡されてモール両端部出入り口１Ａ，１Ｂから出入りできるようにされ、またモール内の水路部は床材で塞がれる。
【００１３】
また図３に示すように、水路５の『折れ線』状の膨出部分５Ｃでは、トンネル状形態で移動して来て、各ブロック１０Ａ〜１０Ｄ間の外側継手１２を分離して内側蝶番１１で屈曲させて『折れ線』状の形態とすることができる。
勿論、水路形状に沿った形態以外に水路５内に収まる各種形態を取ることができる。
【００１４】
また、図４及び図５に示すように可動モールはフロート２１の両サイドに水平ガイドローラ２２を４カ所設けており、可動モールが移動水路部を牽引されて移動する場合、水路側面にガイドされながら進むようになっている。
水路５とフロート２１を使用した移動手段２０は、大型で重たいモール１を移動運搬する上で好適であるが、移動方法の駆動方式としては、無限軌道式や車輪、スクリュー、ワイヤー牽引、フリクションローラー、ラックピニオン、ファンブロワー（プロペラ風力方式）、水中ジェットエンジン等、自走式を問わず色々な他の移動手段も採用できることは言うまでもない。
また、上記実施例では、ブロック１０Ａ〜１０Ｄの中間部を外側に『く』の字状や『折れ線』状に屈曲させたが、両端部を外側に出して逆『く』の字状や『折れ線』状にすることもできる。
【００１５】
【発明の効果】
以上、詳細に説明したように、本発明の請求項１記載の可動モールによれば、長手方向正面視で門型を成して天井中央部で分離可能に蝶番で接合され、遊歩道等を構えた左右躯体フレームが、各々移動手段上に搭載されており、また上記左右躯体フレームが、各々長手方向において分離可能で且つロック可能な蝶番によって連結された複数のブロックから構成され、上記移動手段は、水路に沿って移動可能なフロートから構成され、各躯体フレームのブロックが各別にフロート上に搭載されており、上記水路は、平行な直線部分と屈曲した膨出部分とを各々有しているている為に、移動手段によって会場の適当な場所へ移動することで会場の配列構成に変化を与えたり、またイベントに応じて適切な配置を得ることができる。またモールの形態自身も、左右躯体フレームのブロックを直列に連結し且つ天井中央部を連結した移動時のトンネル状形態から、天井中央部で端部蝶番を分離して長手方向端部を『ハ』の字状に開いたり、長手方向中間部を左右に膨らむように『く』の字状に屈曲した形態を取ることができ、会場に魅力的で好印象を与えるインパクトのある景観を提供できる。来場者は、躯体フレームに設けられた遊歩道を通って日差しや強い風を避けて、適宜休憩場所で休憩したり、店でショッピングすることができ、またより楽しく、ゆったりとくつろぐことができる。
【００１６】
また、本発明の請求項１記載の可動モールにおいて、移動手段は、水路に沿って移動可能なフロートから構成され、各躯体フレームのブロックが各別にフロート上に搭載されているために、水路は、会場の景観に安らぎ等の好印象を与える他、重たいモールを移動運搬する上で好適である。フロートは、躯体フレームのブロック毎に各別に設けられているために、ブロックを左右に開いたり、屈曲させることが可能になる。
【００１７】
更に、本発明の請求項１記載の可動モールにおいて、水路は、平行な直線部分と屈曲した膨出部分とを各々有しているために、水路の平行な直線部分では、モールは躯体フレームのブロックを直列状に連結したトンネル状形態を取り、水路の屈曲した膨出部分では、トンネル状形態の他に、ブロック間の外側蝶番を分離して内側蝶番で屈曲して『く』の字状や『折れ線』状の形態を取ることができる。
尚、本発明の請求項２記載のように、水路は、平面視でほぼ左右対称な左右一対の水路から構成しても良いが、必ずしもこれに限定されるものではない。
【図面の簡単な説明】
【図１】本発明に係る代表実施例の可動モールの『く』の字状展開状態を示す平面図である。
【図２】本発明に係る代表実施例の可動モールのトンネル状態での端面図である。
【図３】本発明に係る代表実施例の可動モールの『折れ線』状展開状態を示す平面図である。
【図４】本発明に係る代表実施例の可動モールのフロート部の拡大立面図である。
【図５】本発明に係る代表実施例の可動モールのフロート部水平ガイドローラの平面配置図である。
【符号の説明】
１  可動モール
５  水路
５Ａ  水路の直線部分
５Ｂ  水路の『く』の字状部分
５Ｃ  水路の『折れ線』状部分
１０  躯体フレーム
１０Ａ〜１０Ｄ  ブロック
１５  遊歩通路
２０  移動手段
２１  フロート
２２  水平ガイドローラ
【図１】
0003540556.tif 000002
【図２】
0003540556.tif 000003
【図３】
0003540556.tif 000004
【図４】
0003540556.tif 000005
【図５】
0003540556.tif 000006